Podtech/llm-jp-corpus-v4-ja_patent huggingface dataset:
(57)【要約】【課題】２種類の蓋を用意する必要がなく、その宗教上の儀式に即座に対応できる。【解決手段】棺本体１と、この棺本体１の上部開口部を覆うように該棺本体１上に載置される蓋２とからなる。前記蓋２には拝み窓３が形成され、この拝み窓３を覆うように可燃性の透明板４が取付けられている。前記透明板４は、前記拝み窓３を開閉可能に前記蓋２の長手方向に沿ってスライド自在に設けられている。【選択図】      図１
0003106256.tif 000002
【実用新案登録請求の範囲】
【請求項１】
棺本体と、この棺本体の上部開口部を覆うように該棺本体上に載置される蓋とからなり、前記蓋には拝み窓が形成され、この拝み窓を覆うように可燃性の透明板が取付けられた棺において、前記透明板は、前記拝み窓を開閉可能に前記蓋の長手方向に沿ってスライド自在に設けられていることを特徴とする棺。
【請求項２】
前記透明板の閉方向側の端部には、該透明板の開閉を容易にするためのつまみ部を有する支持板が固定されていることを特徴とする請求項１記載の棺。
【考案の詳細な説明】
【技術分野】
【０００１】
本考案は棺に係り、特に蓋の拝み窓部分の改良に関する。
【背景技術】
【０００２】
棺は図３に示すように、棺本体１と蓋２とからなっている。蓋２には、遺体の顔に対応した部分に拝み窓３が形成されており、拝み窓３を覆うように蓋２の下面には可燃性の透明板４が固定されている。また蓋２には、拝み窓３を開閉するための開閉扉５、６が設けられており、開閉扉５、６はそれぞれ蝶番７によって蓋２に回動自在に取付けられている。特許文献１乃至３参照。
【０００３】
【特許文献１】実開昭６１−２６５２８号公報
【特許文献２】実開昭６１−７３３１９号公報
【特許文献３】特開昭６２−１８３７６５号公報
【考案の開示】
【考案が解決しようとする課題】
【０００４】
一般に、蓋２には拝み窓３を覆うように透明板４が固定されている。ところで、宗教によっては、出棺の際にお坊さんが遺体の頭に剃刀を当てる儀式が行われることがある。この場合、透明板４があると前記した儀式が行えないので、予め透明板４をハサミ、カミソリ等で取り除く必要がある。しかし、うっかり予め透明板４を取り除く作業を行っていなく、その場で慌てることがたまに生じる。これを避けるには、透明板４を有する蓋２と透明板４を有しない蓋２の２種類を準備しておけばよいが、メーカーとしては管理上の問題がある。
【０００５】
本考案の課題は、２種類の蓋を用意する必要がなく、その宗教上の儀式に即座に対応できる棺を提供することにある。
【課題を解決するための手段】
【０００６】
上記課題を解決するための本考案は、棺本体と、この棺本体の上部開口部を覆うように該棺本体上に載置される蓋とからなり、前記蓋には拝み窓が形成され、この拝み窓を覆うように可燃性の透明板が取付けられた棺において、前記透明板は、前記拝み窓を開閉可能に前記蓋の長手方向に沿ってスライド自在に設けられていることを特徴とする。
【考案の効果】
【０００７】
拝み窓を覆う透明板を開閉できるので、２種類の蓋を用意する必要がなく、その宗教の儀式に即座に合わせて対応できる。
【考案を実施するための最良の形態】
【０００８】
本考案の棺の一実施の形態を図１及び図２により説明する。なお、図３と同じ又は相当部材には同一符号を付し、その詳細な説明は省略する。本実施の形態においては、透明板４は拝み窓３を開閉可能に蓋２の長手方向に沿ってスライド自在に設けられている。
【０００９】
蓋２の拝み窓３部分には、透明板４をガイドするために、蓋２の長手方向の両内側に案内路１０が形成されている。透明板４の閉方向側の端部には、該透明板４の開閉を容易にするためのつまみ部１１を有する支持板１２が固定されている。透明板４の閉方向側の端部にも支持板１３が固定されている。
【００１０】
次に作用について説明する。図１は拝み窓３が透明板４で閉じられた状態を示す。拝み窓３を開いた状態にするには、つまみ部１１を指で持って矢印２０方向（右方向）に移動させると、図２に示すように透明板４が右方向に移動し、拝み窓３は開放される。このように、拝み窓３を覆う透明板４を開閉できるので、２種類の蓋を用意する必要がなく、その宗教の儀式に即座に合わせて対応できる。
【図面の簡単な説明】
【００１１】
【図１】本考案の棺の一実施の形態を示し、（ａ）は要部平面図、（ｂ）は（ａ）のＡ−Ａ線断面図、（ｃ）は（ａ）のＢ−Ｂ線断面図、（ｄ）は（ａ）のＣ−Ｃ線断面図である。
【図２】拝み窓を開放した状態を示す要部平面図である。
【図３】従来の棺を示し、（ａ）は平面図、（ｂ）は正面図、（ｃ）は（ａ）のＣ−Ｃ線断面図、（ｄ）は開閉扉を開いた状態における（ｃ）と同様の断面図である。
【符号の説明】
【００１２】
１    棺本体
２    蓋
３    拝み窓
４    透明板
５、６    開閉扉
１０    案内路
１１    つまみ部
１２    支持板
【図１】
0003106256.tif 000003
【図２】
0003106256.tif 000004
【図３】
0003106256.tif 000005
(57)【要約】      （修正有）【課題】釣り人が長時間、楽にジギングを楽しめる釣竿を提供しようとするものである。【解決手段】上記目的を達成するために、本考案の釣竿は２本に分けることの出来る脱着可能であるブランクＡ，Ｂを使用し、それぞれのブランクの素材や厚さを変えることで重さを変え、リールシート範囲内に重心がくるようにする。【選択図】図２
0003106210.tif 000002
【実用新案登録請求の範囲】
【請求項１】
釣竿のリールシートの範囲内に重心がある釣竿
【考案の詳細な説明】
【技術分野】
【０００１】  本考案は釣り具に係るものである。
【背景技術】
【０００２】  従来のジギングのための釣竿は、フロントグリップＨから前方に重心があり、ジグＥを釣竿から垂れ下がる釣糸Ｆに取り付けた時に、更に前方に重心が傾く。
【課題を解決しようとする課題】
【０００３】  釣り人がジグを動かす際に、リールＧを握る片方の手で全ての釣竿とジグの重さを支えなければならず、さらに従来の釣竿は釣竿の重心がそのリールＧよりも前方にあるので釣り人は、グリップＨから前方の釣竿の側の自重とジグＥの自重を釣り人の力で支えなければならない。また、水深や潮流によっては５００ｇ以上のジグを付けて釣りする。その際、釣り人には大きな負担がある。
【０００４】  本考案は、従来の技術の有するこの様な問題点に鑑みてなされたものであり、その目的とするところは釣り人が長時間、楽にジギングを楽しめる釣竿を提供しようとするものである。
【課題を解決するための手段】
【０００５】  上記目的を達成するために、本考案の釣竿はブランクＡよりもブランクＢを重くし、リールシートＣの範囲内に重心をおく。
【考案を実施するための最良の形態】
【０００６】  ブランクＡとＢは図２のように脱着が可能であり、それぞれを違う素材によって作ることが出来る。釣竿完成時、ブランクＡ側のフロントグリップＨとブランクＢ側のリールシートＣの間で脱着が可能である。ブランクＢの素材をブランクＡよりも重い素材にする。例えば、カーボン素材よりもグラス素材の方が比重が重いのでブランクＡをカーボン素材にし、ブランクＢをグラス素材にする。グラスとカーボンなどを組み合わせたブランクの場合も同様であり、比重の大きい方をブランクＢに使用し、ブランクＢよりも比重の小さいものをブランクＡに使用する。また、同じ素材を使用しブランクＡよりもブランクＢの方を厚く巻くことでも同様である。
【考案の効果】
【０００８】  釣り人は、なるべく自身への負担の少ない釣竿を必要としている。本考案の釣竿は、リールシートの範囲内に重心をおくことで、前方の釣糸から垂れ下がるジグの重さをブランクＢの重さによってバランスをとることができ、釣り人は、ジグの実際の重さよりも軽く感じることが出来る。よって、釣り人への負担を軽減することが出来、朝から晩までジグをしゃくって釣りをする釣り人にとっては、疲れ難く、より楽しく釣りをすることが出来る。
【図面の簡単な説明】
【図１】本考案の釣竿のブランクのＡとＢを接続した状態の正面図である。
【図２】本考案の釣竿のブランクのＡとＢを離脱した状態の正面図である。
【図３】本考案の釣竿の正面図である。
【図４】本考案の釣竿の左側面図である。
【図５】本考案の釣竿にリールと釣糸とジグを装着した正面図である。
【符号の説明】
Ａ  本考案の釣竿の前方のブランク
Ｂ  本考案の釣竿の後方のブランク
Ｃ  リールシート
Ｄ  ガイド
Ｅ  ジグ
Ｆ  釣糸
Ｇ  リール
Ｈ  フロントグリップ
Ｉ  リアグリップ
【図１】
0003106210.tif 000003
【図２】
0003106210.tif 000004
【図３】
0003106210.tif 000005
【図４】
0003106210.tif 000006
【図５】
0003106210.tif 000007
(57)【要約】      （修正有）【課題】社名表示灯を従来より、識別しやすい様にしたタクシーを提供する。【解決手段】タクシー車両の屋根に設置してある社名表示灯を車両を正面から見て屋根の中央右端寄りに設置する事により、車体と社名表示灯をアンバランスな組合わせとした。【選択図】図１
0003106205.tif 000002
【実用新案登録請求の範囲】
【請求項１】
図２、に示すように従来のタクシー車両の屋根の中央部に設置してある社名表示灯（１）を図１、のように従来と異なる位置、右端寄りに設置する事により、他社のタクシー車両との識別性を向上させたタクシー車両の社名表示灯。
【考案の詳細な説明】
【考案の詳細な説明】
【０００１】  本考案は、一般乗用旅客自動車運送事業者が旅客に識別させる目的でタクシー車両の屋根に設けている社名表示灯を従来より、識別性に優れた表示に変更しようというのが目的であります。説明すると次のようになる。従来タクシーの社名表示灯は車両の屋根の中央部位に図２、のように設置されているのである。本考案は図１、に示す様に、右端寄りに設置している点が特長であり、従来と異なるアンバランスな態様はユニークで印象的であります。
【０００２】  従来、タクシー車両の社名表示灯は文字通り事業所の名称が表示してあり、旅客にそれぞれの事業所の車両を識別させる目的で設置されているのである。旅客は流しのタクシーに乗車申込をする時、依怙贔屓する事業所の車両を利用する場合があり、そこで社名表示灯を見て何処の事業所の車両かを判断して乗車申込をする。しかし、社名表示灯が同形のものを数社で使用している場合もあり、形を見ただけでは何処の事業所の車両か判断しにくいのである。そのため社名表示灯の名称を視認してから乗車申込をするのである。動体視力で名称を視認できる距離はタクシーが接近しないと明瞭に判断できないために車両の直前で乗車申込をする時があり、その結果タクシー車両は急停車し、追突事故になる場合がある。この様な因果関係で危険を察知した運転手は事故を回避するため走り去る時もあるが、旅客側の感覚は一方的に乗車拒否された様に誤解するのである。また視力の弱い方が識別を誤り、旅客側が乗車拒否する場合もある。つまり、盲点があり社名表示灯に関する因果で事業者の損失は大きい。この様な観点から事業者は自社のタクシー車両を旅客に識別しやすい表示を考えるべきである。
【０００３】  本考案は全事業者で導入すると明確な識別ができなくなる恐れがあり、本考案の効力が失われるのは言うまでもありません。従って一事業区域で図１、に示す社名表示灯を設置する一事業者に限定すればよいわけです。すると本考案のユニークな態様は一事業区域で目立つ存在となるのです。考案の効果は特に夜間、他社の車両と識別しやすいという優れた利点が生まれてくるのである。つまり、本考案は一事業者に限定する点にその価値があるわけです。
【０００４】  その結果、本考案を導入したタクシー車両は社名表示灯の名称を視認しなくても設置態様で識別できる効果が加味される事になり、旅客は依怙贔屓する車両を容易に識別しやすくなり、早い段階で乗車申込の意思表示ができる事になる。その結果、運転手も後続車に対し、停車の合図も早い段階でできる。つまり、安全に旅客に御乗車できると共に、危険回避の乗車拒否も改善され事業者と旅客がさらに好ましい信頼関係に発展するのである。図１、のように本考案は従来の社名表示灯の設置態様を単純に変更したものであるが、社名表示灯の識別性は明らかに向上しているのである。ここで正確に理解していただまたいのは本考案は一般乗用旅客自動車運送事業者の業界全体の車両が識別しやすくなるという事ではなく本考案を導入したタクシー車両のみ識別が向上すると言っているのである。
【考案の効果】
【０００５】
【イ】
本考案を導入したタクシー車両は、図１、の様に社名表示灯の表示はユニークであり、旅客は他のタクシー車両との識別が容易にできる。
【ロ】
本考案を導入したタクシー車両を依怙贔屓して利用している場合、社名表示灯の設置態様を視認するだけで識別しやすく顧客は非常に都合が良い。
【ハ】
社名表示灯の設置態様が、従来と異なるため旅客は脳裏に印象的に記憶しやすい。
【ニ】
従来、旅客はタクシー車両内に忘れ物をした時、何処の事業所のタクシー車両に忘れ物をしたのか明確に記憶していない場合が多いのである。本考案を導入したタクシー車両に、例えば旅客が忘れ物をした時はユニークな態様の社名表示灯のイメージが脳裏に甦りやすいため車両の事業所を容易に特定しやすい。
【ホ】
本考案を導入したタクシー車両に乗車申込をしようとする場合、上記に述べてある様に識別しやすいのであり、旅客が早い意思表示をしていただけるため運転手も後続の車両に対し、停車の合図も早い段階でできる。その結果、一般乗用旅客自動車運送事業者側に極めて損失が大きい追突事故の防止にもなり、また運転手の危険回避の乗車拒否も改善し、利益につながる事になる。本考案はこのように、数々の効果が生まれるのである。
【図面の簡単な説明】
【図１】    本考案の社名表示灯を右端寄りに設置した正面図である。
【図２】    従来の社名表示灯の設置位置の正面図である。
【符号の説明】
１  社名表示灯
【図１】
0003106205.tif 000003
【図２】
0003106205.tif 000004
【手続補正書】
【提出日】平成16年7月7日(2004.7.7)
【手続補正２】
【補正対象書類名】実用新案登録請求の範囲
【補正対象項目名】全文
【補正方法】変更
【補正の内容】
【実用新案登録請求の範囲】
【請求項１】
タクシー車両の屋根に設置してある社名表示灯を車両を正面から見て屋根の中央右端寄りに設置する事により、車体と社名表示灯をアンバランスな組合わせにした特徴のタクシー車両。
(57)【要約】【課題】    フィラメントの耐用時間によって決まる電球の耐用時間を延ばす。【解決手段】スペアのフィラメントを装着することによって発光体の耐用時間を延ばす。【選択図】  図１
0003106204.tif 000002
【実用新案登録請求の範囲】
【請求項１】
電球の構成部品である導入線に、フィラメントとスペアフィラメントを装着し、フィラメントが切れると同時に導入線とスペアフィラメントが接触しスイッチが入る構造とした電球。
【考案の詳細な説明】
【技術分野】
【０００１】本考案は、電球の耐用時間を延長するためのフィラメントに関するものである。
【背景技術】
【０００２】電球は、口金、ガラス、導入線、ガス、フィラメント等より構成されており、電球の耐用時間は発光体であるフィラメントの耐用時間と同時に終わる。
従来はフィラメントやガス等の成分や品質の改良によって電球の耐用時間を延ばしてきた。
【考案の開示】
【考案が解決しようとする課題】
【０００３】電球の耐用時間がフィラメントの耐用時間によって決まる為に、他の電球部品も同時に廃棄される。本考案は、スペアフィラメントを装着することによって、従来の電球本体の耐用時間を延ばすものである。
【課題を解決する為の手段】
【０００４】本考案は、フィラメントの引張力によって保たれた導入線間の距離が、フィラメントの切断により導入線のバネによって外側に広がり、スペアフィラメントと導入線が接触し、スイッチが入る構造としたものである。
【考案の効果】
【０００５】電球部品のフィラメントが補充される事によって電球本体の耐用時間を延ばし、資源の節約に寄与すると共に電球交換の回数をへらし、経済的効果が期待できる。
【考案を実施するための最良の形態】
【０００６】一端が導入線に接続され他端が絶縁体を具備した別の導入線に支持されたスペアフィラメントを装着し、導入線とスペアフィラメントとの接触部とに隙間を設ける。絶縁体とスペアフィラメントとはフリーとしフィラメントが切れると導入線がバネによって移動しフィラメントのスイッチ部と接触し通電する。
【図面の簡単な説明】
【０００７】考案実施の形態について図面を参照して説明する。
図１に於いて、導入線１にフィラメント２及びスペアフィラメント３を装着し、導入線１に支持絶縁体４を装着する。【図１】  要部正面図である。
【図２】  要部側面図である。
【符号の説明】
１．導入線
２．フィラメント
３．スペアフィラメント
４．支持絶縁体
５．接触スイッチ部
６．口金
７．ガラス球
【図１】
0003106204.tif 000003
【図２】
0003106204.tif 000004
【手続補正書】
【提出日】平成16年8月4日(2004.8.4)
【手続補正１】
【補正対象書類名】実用新案登録請求の範囲
【補正対象項目名】全文
【補正方法】変更
【補正の内容】
【実用新案登録請求の範囲】
【請求項１】
電球の構成部品である導入線を曲げ弾性体、フィラメントを軸方向弾性体とし双方のバネによって導入線間に一定の距離を保つと同時に、他方導入線との接触部の一方に、絶縁体によって支持されかつ導入線と接触部との間に一定の距離を保持したスペアフィラメントを装着し、フィラメントが切れると同時にフィラメントのバネが解除され、導入線のバネにより導入線とスペアフィラメント接触部とが接触しスイッチが入る構造とした電球。
(57)【要約】      （修正有）【課題】数多くの蛍光灯を安全に交換出きる脚立装脱着可能蛍光灯入れの提供。【解決手段】脚立と一体化して蛍光灯を安全に運び、脚立の昇降回数を減らし、不良蛍光灯を外して収納することもできる脚立装脱着可能蛍光灯入れ。叉蛍光灯入れを脱着して蛍光灯のみを多く安全に運搬もできる。蛍光灯入れには緩衝材、蓋を設け、万一の蛍光灯破損及び飛散防止に役立つ。蛍光灯の大きさに合わせ伸縮させる構造である。【選択図】図２
0003106201.tif 000002
【実用新案登録請求の範囲】
【請求項１】
入れる物の長さに合わせ段階的に伸縮出来る円柱状のプラスチック容器を、脚立に装着金具で取り付け、効率よく蛍光灯交換を行うもの。脚立から外しても蛍光灯運搬容器として付帯の紐で肩に掛け移動できる。蛍光灯運搬時の落下防止に容器先端に蓋を付け、叉収納時の緩衝用として容器底にクッション材を入れる。したがって蛍光灯を安全に扱う為の脚立装脱着可能蛍光灯ショルダーケースである。
【考案の詳細な説明】
【技術分野】
【０００１】  本考案は、蛍光灯交換作業時に、脚立に装着することの出来る蛍光灯ケースに関するものである。
［背景技術］【０００２】  従来の脚立作業による蛍光灯交換では不良蛍光灯を外す為天井近くまで脚立を昇り、外した蛍光灯を下ろす為脚立を降りる。叉新品の蛍光灯を持ち再び脚立に昇るといった様に、昇降の回数も多く、一度に複数の蛍光灯を交換するのは難しい。叉下ろして置いた蛍光灯が転がって破損することもあり危険がある。
［考案の開示］
［考案が解決しようとする課題］【０００３】従来の蛍光灯交換は脚立の昇降回数も多く、一度に交換出来る本数も少なく効率的でない。【０００４】蛍光灯はガラスで出来ている為、割れやすく、割れた時は破裂し飛散するので危険であり取り扱いを慎重にしなければならない。【０００５】蛍光灯入れを脚立に固定してしまうと蛍光灯交換以外にその脚立を使用していた場合、腰道具、工具など蛍光灯入れに引っ掛かったりして、作業の妨げとなり危険が伴う。【０００６】従来の作業方法の蛍光灯を持っての脚立の昇降は不安定の為、危険を多く有している。
［課題を解決するための手段］【０００７】複数の外した不良蛍光灯を一時的に収納することもでき、叉複数の新品蛍光灯を予め収めて置き、脚立を降りずに交換が可能。【０００８】蛍光灯入れは軟質のプラスチックを使用しているので蛍光灯に優しい。叉蛍光灯を収納する時のケース底との衝撃を緩和する為のクッション材を入れる。【０００９】蛍光灯ケースを脚立装脱着タイプとして、蛍光灯交換以外の脚立作業に自由に使用できる。叉、ケースなど突起物がない為、作業の妨げとはならない。【００１０】蛍光灯を持っての脚立の昇降は不安定の為、危険を多く有していた。しかし、これを使用した場合脚立に昇り安定した姿勢を作ってからの蛍光灯の取扱いとなるので、危険度が減る。【００１１】蛍光灯のサイズも大小様々有る為、一つの蛍光灯入れで数種類同時に運べる様、伸縮式にする。
［考案の効果］【００１２】ビルメンテナンス業で、蛍光灯交換は多く、一度に交換する数も多い。蛍光灯と脚立とを別々の手で同時に持ち運ぶ事が現状で、危険を伴います。これを装着することにより大半は解消される。【００１３】蛍光灯交換の場所も多岐にわたり、出入り口等スペースの狭い場所や人の多い場所にも装着後一体物として、運び易くスムーズな移動が可能。【００１４】蛍光灯入れには蓋がついているので脚立搬送中の作業者の不測の転倒時に蛍光灯の破損防止もしくは蛍光灯の飛散防止につながる。事故例として作業者が蛍光灯所持中に転倒してケガをするケースもあり、有効と考える。＊但し収納出来る蛍光灯は限られる。【００１５】ビル事務所等の蛍光灯交換では、デスクを使用している者も多く、真上近くで蛍光灯交換をしなければならないケースがある。その為、出来る限り作業時間の短縮化に努めなければならないので昇降回数を減らすことも重要である。
［考案を実施するための最良の形態］【００１６】蛍光灯入れ装着時に時間がかからない様、脚立縦材に挟み込むものとして、抑えにビス等でネジ込む手間を無くし、装着時間を減らした。
［実施例］【００１７】入れる物の長さに合わせ段階的に伸縮出来る円柱状のプラスチック容器１を、脚立の縦材７の２ヶ所にバネを用い挟み込む装着金具２で簡単に取り付ける。縦材７からの脱落防止の為、補助止め１２を止める。装着金具と容器の固定は金属製バンド３を使用する。叉二点のバンドのズレ防止具４と容器抜け防止具５にもバンドを使用する。脚立６から外しても容器は上部下部を結んだ紐８を肩掛けにして運搬できる。物の移動時の脱落防止に容器先端に蓋９をつける。叉蛍光灯収納時の緩衝材として容器１の底にクッション材１１を入れる。【００１８】蛍光灯ケース装着金具の脚立縦材からの脱落防止の補助止め１２として、装着金具の差込み口の先にヒンジ付きカバーを付け縦材挟み込み用クリップ１５で挟んだ後、押して止める。【００１９】装着金具２の脚立縦材７を挟む面２点にラバー１３を施し、押さえの芯棒の振れ止め１４を設ける。
［産業上の利用可能性］【００２０】ビル等建築物内のスペースの関係より、蛍光灯置場、脚立置場が別々の場合が多く、蛍光灯置場から蛍光灯を持って脚立置場へ移動という場合もあるので、蛍光灯入れに収納して運び、脚立置場で装着して一体として現場へ運べる。【００２１】脚立を有効に利用しようと考えた場合、蛍光灯入れ固定脚立だと目的別に合わせて脚立を数多く所有しなければならなくなる。叉ビル等では天井の高さが様々ということもあり、高さの違う脚立を数多く所有しなければならない。この様な場合、市販の脚立に装着すれば用途も増え、コスト削減にもつながる。
【図面の簡単な説明】
【００２２】［図１］本考案の脚立装脱着可能蛍光灯ショルダーケース時を示す斜視図である。
［図２］本ケースの一実例を示す斜視図である。
［図３］本ケースの断面図である。
［符号の説明］【００２３】１      容器
２      装着金具
３      金属バンド
４      ズレ防止具
５      容器抜け防止具
６      脚立
７      縦材
８      紐
９      蓋
１０    踏み板
１１    クッション材
１２    補助止め
１３    ラバー
１４    振れ止め
１５    クリップ
【図１】
0003106201.tif 000003
【図２】
0003106201.tif 000004
【図３】
0003106201.tif 000005
【手続補正書】
【提出日】平成16年7月12日(2004.7.12)
【手続補正１】
【補正対象書類名】実用新案登録請求の範囲
【補正対象項目名】全文
【補正方法】変更
【補正の内容】
【実用新案登録請求の範囲】
【請求項１】
入れる物の長さに合わせ段階的に伸縮出来る円柱状のプラスチック容器を、脚立に装着脱着できる金具で取り付け効率よく安全に蛍光灯交換及び運搬を促すショルダーケース
(57)【要約】【課題】背肩部の通気性を十分に確保することができるとともに、セーラーカラーが舞い上がることがあっても着用者の肌着や肌が外見的に見えることのない女学生用セーラー服を提供する。【解決手段】身頃１の背肩部に開口６を形成し、この開口６にメッシュ布７を取り付け、さらに身頃１の背肩部に前記開口６を覆う覆い布８を設け、この覆い布８の下端縁と身頃１との間に前記開口６に通じる通気用の隙間を確保する。前記開口６は、前記身頃１の肩先から袖ぐり４の上部にまで広がる大きな面積とする。【選択図】    図１
0003106265.tif 000002
【実用新案登録請求の範囲】
【請求項１】
身頃の背肩部に開口を形成し、この開口にメッシュ布を取り付け、さらに身頃の背肩部に前記開口を覆う覆い布を設け、少なくとも前記覆い布の下縁と前記身頃との間に前記開口に通じる隙間を確保してなることを特徴とする女学生用セーラー服。
【請求項２】
前記開口は、前記身頃の肩先から袖ぐりの上部にまで広がる大きな面積に形成されていることを特徴とする請求項１に記載の女学生用セーラー服。
【考案の詳細な説明】
【技術分野】
【０００１】
この考案は、学校の制服として女学生が着用する女学生用セーラー服に関する。
【背景技術】
【０００２】
セーラー服は、後身頃の背肩部に被さって重なるセーラーカラーを備え、このためその背肩部での通気が悪く、夏場や運動を行なった際に蒸れが生じ、不快感を招くという問題がある。
【０００３】
そこで、セーラー服の背肩部に開口を形成し、その開口にメッシュ布を張り、そのメッシュ布を通して通気を良好にして蒸れを防止するようにしたセーラー服が提案されている。
【０００４】
なお、メッシュ布が張られた背肩部の開口は通常時にはセーラーカラーで覆われ、外見的には隠されている。
【考案の開示】
【考案が解決しようとする課題】
【０００５】
ところが従来の構造では、強風が吹いたり激しい運動を行なったようなときには、セーラーカラーが舞い上がって背肩部の開口が露出し、メッシュ布を通して着用者の肌着や肌が見えてしまい、女学生にとっては恥ずかしさが生じてしまう。
【０００６】
背肩部に形成する開口の大きさは、通気性の点では大きければ大きいほどよいが、大きすぎるとそれだけセーラーカラーが舞い上がったときに肌着や肌が大きな広がりで見えてしまい、このため背肩部に形成する開口はそれほど大きくすることができず、その分通気性が低下するという問題ある。
【０００７】
この考案はこのような点に着目してなされたもので、その目的とするところは、通気性を十分に確保することができるとともに、セーラーカラーが舞い上がることがあっても着用者の肌着や肌が外見的に見えることのない女学生用セーラー服を提供することにある。
【課題を解決するための手段】
【０００８】
この考案においては、身頃の背肩部に開口を形成し、この開口にメッシュ布を取り付け、さらに身頃の背肩部に前記開口を覆う覆い布を設け、少なくとも前記覆い布の下縁と前記身頃との間に前記開口に通じる隙間を確保する。
【０００９】
前記開口は、前記身頃の肩先から袖ぐりの上部にまで広がる大きな面積とする。
【考案の効果】
【００１０】
この考案のセーラー服によれば、背肩部の開口のメッシュ布を通して身頃の内側の湿気が外部に放散される。開口の上には覆い布が配置されているが、この覆い布は開口に密着せず、身頃に対して遊動することが可能であり、したがってメッシュ布と覆い布との間には十分な隙間が確保され、身頃の内側の湿気が覆い布の少なくとも下縁と身頃との間の隙間を通して外部に有効に放散される。
【００１１】
そして、開口は身頃の肩先から袖ぐりの上部にまで渡る大きな面積を有しており、このため通気がより良好となり、その広い開口の全域から効率よく湿気が放出して快適な着用感が得られる。
【００１２】
一方、強風が吹いたり激しい運動を行なったようなときに、セーラーカラーが舞い上がって身頃の背肩部が露出することがあっても、メッシュ布が張られた開口は覆い布で覆われており、したがって着用者の肌着や肌が見えてしまうというようなことがなく、その露出を気にすることなく安心して着用することができる。
【考案を実施するための最良の形態】
【００１３】
以下、この考案の実施の形態について図面を参照して説明する。
【００１４】
この考案のセーラー服は、身頃１と、この身頃１の袖ぐり２に縫着された袖３と、身頃１の衿ぐり４に縫着されたセーラーカラー５とで構成されている。なお、図はセーラー服を背部から見た図である。セーラーカラー５は、通常は身頃１の背肩部に被さるように垂れ下がるが図では上方に持ち上げた状態を示してある。
【００１５】
身頃１の背肩部には開口６が形成されている。この開口６は、身頃１の肩先から袖ぐり４の上部にまで渡って広がる大きな面積に形成され、この開口６内にメッシュ布７が縫着されている。
【００１６】
さらに身頃１の背肩部には、前記開口６とほぼ対応する形状の覆い布８が縫着され、この覆い布８により開口６（メッシュ布７）が覆われている。なお、図では覆い布８の一部を破断して示してある。
【００１７】
覆い布８は身頃１と同じ素材で形成され、上縁部が身頃１の肩先に、両側縁部が袖ぐり２の上部にそれぞれ縫着され、下端縁の中間部が止め糸９により身頃１に対してある程度の動きの余裕をもって係止され、これにより覆い布８の下端縁と身頃１との間に前記開口６に通じる隙間が確保されている。
【００１８】
このようなセーラー服によれば、開口６のメッシュ布７を通して身頃１の内側の湿気が外部に放散される。開口６の上には覆い布８が配置されているが、この覆い布８は開口６に密着せず、身頃１に対して遊動することが可能であり、したがってメッシュ布７と覆い布８との間には十分な隙間が確保され、身頃１の内側の湿気が覆い布８の下端縁と身頃１との間の隙間を通して外部に有効に放散される。
【００１９】
そして、開口６は身頃１の肩先から袖ぐり４の上部にまで広がる大きな面積を有しており、このため通気がより良好となり、その広い開口６の全域から効率よく湿気が放出して快適な着用感が得られる。
【００２０】
一方、強風が吹いたり激しい運動を行なったようなときに、セーラーカラー５が舞い上がって身頃１の背肩部が露出することがあっても、メッシュ布７が張られた開口６は覆い布８で覆われており、その覆い布８の下端縁の中間部が止め糸９で係止されているから着用者の肌着や肌が外見的に見えてしまうというようなことがなく、その露出を気にすることなく安心して着用することができる。
【図面の簡単な説明】
【００２１】
【図１】この考案の一実施形態に係る女学生用セーラー服の背面図。
【符号の説明】
【００２２】
１…身頃
２…袖ぐり
３…袖
４…衿ぐり
５…セーラーカラー
６…開口
７…メッシュ布
８…覆い布
【図１】
0003106265.tif 000003
(57)【要約】      （修正有）【課題】安価で、視認性の高い手術用ガーゼを提供する。【解決手段】血液に染まっても識別しやすい黒色の糸を一定間隔で格子状に編み込むことにより医師や医療スタッフによる視認性を高める。さらに、人間や動物の組織や臓器には本来無い格子状のパターンによっても視認性を高める。【選択図】図１
0003106272.tif 000002
【実用新案登録請求の範囲】
【請求項１】
黒色の糸を格子状に編み込むことにより視認性を高めた手術用ガーゼ。
【考案の詳細な説明】
【考案の詳細な説明】
【技術分野】
【０００１】  本考案は、縦糸と横糸に一定間隔で黒色の糸を編み込むことにより医師や医療スタッフによる外科手術時の視認性を高めた手術用ガーゼに関するものである。
【背景技術】
【０００２】  従来の手術用ガーゼは白色の綿糸を用いて織られた平織物であるため手術中に血液等に染まって視認性が著しく低下し、取り出し忘れ等の重大な医療ミスの一因となっているものである。【０００３】  取り出し忘れ等の医療ミス防止のため、ＩＣチップを取り付けたり、金属繊維やＸ線造影糸を編み込んだものなども考案されているが、何れも血液等の吸収を阻害し、かつ高価な検出器を必要とするものである。【０００４】  また、検出器を用いた確認作業を手術中に追加しなければならないことから手術時間の延長に繋がったり、あるいは術後のＸ線撮影で取り出し忘れ等が確認された場合は再手術が必要となるものである。【０００５】  さらに、１回の外科手術において多くの枚数を消費する手術用ガーゼとしては高価なものとなる。
【考案が解決しようとする課題】
【０００６】  外科手術に使用される手術用ガーゼは、手術中に血液等に染まって医師や医療スタッフによる視認性が著しく低下し、このため取り出し忘れや置き忘れ等の重大な医療ミスを招く一因となっている。
【０００７】  これらの医療ミスを防ぐため、手術用ガーゼにＩＣチップを取り付けたり金属繊維やＸ線造影糸を織り込んだものも考案されているが、何れも血液等の吸収を阻害し、かつ手術中に検出器を用いて取り出し忘れ等を確認したり、あるいは術後にＸ線撮影等により回収もれの無いことを確認する作業が必要なものである。
【０００８】  また、これらの手術用ガーゼは何れも高価な検出器を必要とするものであり、また、手術中に検出作業を追加しなければならないことから手術時間の延長に繋がったり、あるいは術後に回収もれ等が確認された場合は再手術が必要となるものである。
【０００９】  さらに、１回の手術で多くの枚数のガーゼを消費するため、ＩＣチップを取り付けたり金属繊維やＸ線造影糸を織り込んだものは手術用ガーゼとしては高価なものとなる。
【課題を解決するための手段】
【００１０】  本考案は前記の課題を解決するため、視認性の高さという手術用ガーゼが本来持つべき最も基本的な機能の向上に着目し、外科用の縫合絹糸が黒色であることからも分かるように、血液等に染まっても識別しやすい黒色の糸を一定間隔で手術用ガーゼに格子状に織り込み、手術を担当する医師や医療スタッフによる視認性を高める。
【００１１】  また、人間や動物の組織や臓器には本来無い格子状のパターンによっても視認性を高める。
【００１２】  さらに、本考案の手術用ガーゼは黒色糸を縦糸と横糸に一定間隔で格子状に編み込んだ単純なものであるため、検出器を用いるタイプのものと比較して安価で提供できる。
【実施例】
【００１３】  手術用ガーゼの縦糸と横糸に一定間隔で黒色の糸を格子状に編み込んだものであり、糸の材質はどんなものでも良い。
例えば綿糸や絹糸などのほか、血液等の吸収性を損なわないものであれば如何なる種類のものでも良い。【００１４】  黒色糸の編み込み間隔は、幅５ｍｍ〜１ｃｍ前後が適当であるが、視認性を損なわない程度の範囲で自由に選択することが出来る。【００１５】  また、撚糸機により撚って太くした黒色糸を用いて視認性をさらに高めても良い。
【考案の効果】
【００１６】  黒色の絹糸等が外科用縫合糸に使用されていることからも分かるように、黒色の糸は血液等に染まっても識別しやすく、外科手術時のガーゼの視認性を高める効果がある。
【００１７】  また、人間や動物の組織や臓器には本来無い格子状のパターンによっても視認性が高まり、手術用ガーゼの取り出し忘れや置き忘れ等の重大な医療ミスを防止する有効な手段となるものである。
【図面の簡単な説明】
【００１８】
【図１】    本考案の視認性を高めた手術用ガーゼの平面図である。
【符号の説明】
ａ  白色綿糸
ｂ  黒色糸
【図１】
0003106272.tif 000003
(57)【要約】【課題】法面造成作業に際し、前述の課題を解決するため、種々の提案がなされているが、例えば、特開２００２−３８５１３号の法面作業用バケットが、多目的な法面造成作業を目的として汎用されているが、バケットの前後に備える掘削刃は溶接固定され、特に前側掘削刃の摩滅は著しく、前側掘削刃の交換時、掘削刃装着のための溶接作業により、法面造成作業工程に大きな支障をきたすなど欠点がある。【解決手段】本考案に係る技術的手段として、バケット本体底面の前後掘削刃において、使用頻度が高く、摩滅の著しい前側掘削刃を脱着可能とする方法を特徴とする。また、前側掘削刃は複数のボルトによる固定方法を採り、短時間での前側掘削刃交換を可能とする事を特徴とする。【選択図】図１
0003106275.tif 000002
【実用新案登録請求の範囲】
【請求項１】
法面造成作業用バケットの底面の前後端部に、それぞれ前側掘削刃と後側掘削刃とを有するが、前側掘削刃の摩滅による交換を容易とする、簡便なボルト締付け機構により、掘削刃の脱着を可能とする、前側掘削刃替刃構造。
【考案の詳細な説明】
【技術分野】
【０００１】本考案は、油圧ショベルのブームの先端部に取付けられて、法面造成作業の掘削工程に使用される法面造成作業用バケットの、掘削刃交換構造に関するものである。
【背景技術】
【０００２】従来、法面造成用バケットには、土砂の掘削を目的として、前後に掘削刃を備え、法面が形成される斜面を下方から削り上げたり、その逆に法面を上方から削り下げたり、法面を固める作業等がある。【０００３】しかし、法面造成用バケットの前後に備える掘削刃は、斜面の土砂が様々な条件下にあり、過酷な条件で使用されるため、摩滅が早く、特に前側掘削刃部分の更新が頻回に行われ、作業効率に影響がでてきている。
【考案の開示】
【考案が解決しようとする課題】
【０００４】法面造成作業に際し、前述の課題を解決するため、種々の提案がなされているが、例えば、特開２００２−３８５１３号の法面作業用バケットが、多目的な法面造成作業を目的として汎用されているが、バケットの前後に備える掘削刃は溶接固定され、特に前側掘削刃の摩滅は著しく、前側掘削刃の交換時、掘削刃装着のための溶接作業により、法面造成作業工程に大きな支障をきたすなど欠点がある。
【課題を解決するための手段】
【０００５】前記課題を解決するため、本考案に係る技術的手段として、バケット本体底面の前後掘削刃において、使用頻度が高く、摩滅の著しい前側掘削刃を脱着可能とする方法を特徴とする。【０００６】また、前側掘削刃は複数のボルトによる固定方法を採り、短時間での前側掘削刃交換を可能とする事を特徴とする。
【考案の効果】
【０００７】本考案によると、法面作業用バケットの前側掘削刃は斜面を削る作業等で、どうしても斜面に対して上から土砂を削り取ったり、削られた土砂を集める作業により、前側掘削刃の摩滅が著しい、この前側掘削刃を監視しながら、任意の時間に短時間で掘削刃交換作業を終えることができる。【０００８】また、作業従事者により、片減摩滅の状態が、前側掘削刃に生じやすい、この前側掘削刃を監視しながら、任意で短時間に掘削刃交換作業を終えることができる。
【考案を実施するための最良の形態】
【実施例】
【０００９】以下、本考案の実施形態を図を参照して説明する。図１には、本考案に係る法面造成作業用バケットの全体Ｘを図で示されており、前側懐部１側からの斜視図を示すものであり、本考案の替刃型掘削刃１１の取付け位置を示す、全体図である。【００１０】また、図２には、本考案、法面造成作業用バケットの後側懐部２の、全体図が示されており、後側懐部２から見た斜視図であることを示すものである。【００１１】本考案に係る前側掘削刃取付け構造であるが、図３により説明すると、法面造成作業用バケットの側面図に見て取れるように、前側懐部１底面の掘削刃は、バケット本体替刃支持部１０がバケット本体Ｘに溶接固定され、替刃型掘削刃１１はバケット本体替刃支持部１０にボルトにより取付けられ、固定された状態を示し、脱着を容易とする構造となっている。【００１２】前側掘削刃は図４で示すように、バケット本体Ｘにおいて、前側懐部１を正面から見ると、底面に装着された、バケット本体替刃支持部１０と、最底面に位置する替刃型掘削刃１１があり、図４の▲１▼と▲２▼で示すように、平刃状の替刃型掘削刃１１と、それを支持固定するバケット本体替刃支持部１０の形状を上面から見たものである。【００１３】掘削刃交換を容易としながら、法面造成作業用バケットの特徴である、バケット底面の平面化は維持し、斜面の凸凹を平面にするための、バケット底面を確保している。
【産業上の利用可能性】
【００１４】本考案における、法面造成作業用バケットの前側掘削刃の替刃構造は構造がシンプルであるため、経験不足の現場作業員にも掘削刃交換を容易に実施でき、安価なコストにより法面工事現場における、斜面の品質獲得、維持が確実に実現できる。
【図面の簡単な説明】
【００１５】
【図１】法面造成作業用バケットの前側懐部からの斜視図
【図２】法面造成作業用バケットの後側懐部からの斜視図
【図３】法面造成作業用バケットの側面図及び掘削刃取付け構造
【図４】法面造成作業用バケットの前側懐部からの正面図
【符号の説明】
【００１６】  １  法面造成作業用バケットの前側懐部
２  法面造成作業用バケットの後側懐部
１０  バケット本体替刃支持部
１１  替刃型掘削刃
２０  バケット本体替刃支持部ボルト取付け孔
２１  替刃型掘削刃部ボルト取付け孔
Ｘ    法面造成作業用バケット本体
【図１】
0003106275.tif 000003
【図２】
0003106275.tif 000004
【図３】
0003106275.tif 000005
【図４】
0003106275.tif 000006
(57)【要約】【課題】  本考案の課題は、就寝時使用する掛け布団或いは毛布等の、特に足元部分に掛かる此等の重量感を軽減することで、就寝時の安眠を助け、足の疲労を軽減することである。【解決手段】  摩擦抵抗があり、比較的滑りにくい綿サテン、シ−ティング（天竺木綿）、チノクロス（綾織り）等を使用し、一体成形された低発泡ウレタンホ−ム、発泡ポリスチレンビ−ズ、発泡ポリエチレンビ−ズ、蕎麦がらや天然或いは化繊綿等をある程度の硬さで充填された直径が２０〜３０ｃｍ、理想的には２５ｃｍ程度或いは一辺が２０〜３０ｃｍ、理想的には２５ｃｍ程度の適当に角がＲの付いた四角形の断面を持ち、長さが３０〜６０ｃｍ、理想的には４５ｃｍ程度の円柱もしくは棒状の、通常一般的に使用される枕を一回り大きくした形状のマットを、就寝時適当な位置の足元に平行に挿入することで、使用する掛け布団との間に空間が出来、足元の掛け布団による圧迫感を軽減し、同時に足の疲労感を少なくすることが出来る。【選択図】  図１
0003106278.tif 000002
【実用新案登録請求の範囲】
【請求項１】
直径が２０ｃｍないし３０ｃｍ、理想的には２５ｃｍ程度或いは一辺が２０ｃｍないし３０ｃｍ、理想的には２５ｃｍ程度の適度なＲのついた四角形の断面を持ち、３０ｃｍないし６０ｃｍ、理想的には４５ｃｍ程度の長さの円柱状もしく棒状の、通常使用する枕を一回り大きくした形状のマットで、使用される布地は綿サテン、シ−ティング（天竺木綿）、チノクロス（綾織り）等の摩擦抵抗が大きい、比較的滑り難い木綿の素材を用い、中に充填される素材は一体成形された低反発ウレタンフォ−ム或いは発泡ポリスチレンビ−ズ、発泡ポリエチレンビ−ズ、蕎麦がら、木綿等をある程度の硬さで充填されたマット。
【考案の詳細な説明】
【考案の背景】
【０００１】  本考案の背景は、就寝時の掛け布団或いは毛布等による、特に足元の圧迫感による快眠の妨げを軽減し且つ足元の疲労感を軽減しようとするものである。
【０００２】  一日の三分の一は平均的な睡眠時間といわれベット或いは寝具の上で過ごすしているこになる。又客がホテルで一番長く過ごすのはベットの上である。更に入院中の病人或いは特別養老老人ホ−ムや一般の老人ホ−ムで過ごす老人は、更に多くの時間をベット或いは寝具の上で過ごしている。
【考案の開示】
【考案が解決しようとする課題】
【０００３】  本考案はベットや寝具で睡眠中に使用される掛け布団或いは毛布等の、特に足元に掛かる此等の重量感を、直径が２０ｃｍないし３０ｃｍ、理想的には２５ｃｍ程度或いは一辺が２０ｃｍないし３０ｃｍ、理想的には２５ｃｍ程度の適当に角がＲの付いた四角形の断面を持ち、３０ｃｍないし６０ｃｍ、理想的には４５ｃｍ程度の長さの円柱状もしくは棒状の、通常使用される枕を一回り大きくした形状のマットで、使用する生地は、生地どうしの摩擦抵抗が大きく、比較的滑りにくい、例えば綿サテン、シ−ティング（天竺木綿）、チノクロス（綾織り）等を使用し、充填される素材は一体成形された低反発発泡ウレタンフォ−ム或いは発泡ポリスチレンビ−ズ、発泡ポリエチレンビ−ズ、さらには古来より使用されている蕎麦がらや、天然或いは化繊綿等をある程度の硬さで作られたマットをベット或いは寝具の足元の左右何れかの適切なの位置に挿入することで、ベット或いは寝具と使用される掛け布団或いは毛布との間に空間が作られ、睡眠時或いはベッドや寝具に臥せた場合の足元の圧迫感が軽減され、足元の疲労感を軽減し且つ睡眠時の安眠を容易とすることにある。【０００４】  又、国内外を問わず多くのホテルで行なわれているベット・メ−クは、掛け布団の端をマットレスの中に折り込まれる方法で行なわれている。【０００５】  此の様な方法でベット・メ−クされたベットを使用した場合の就寝時の圧迫感は極めて強く、しばしば左右に押し込まれた掛け布団を引き出すことで、此の様な方法で行なわれたベット・メ−クによる圧迫感は解消はされるが、掛け布団自体のの重さに伴う圧迫感からは逃れることが出来ない。【０００６】  此の様な情況の場合、本考案により準備された適切なるマットを就寝時足元の適切なる位置に挿入することで、掛け布団による圧迫感から解放される。【０００７】  多くのホテルの場合、掛け布団として毛布が使用され、其の端をベッドの下に折り込む方法でベッド・メ−クされている。
此の状態で本考案のマットを足元に平行に挿入することで  足元部分に十分な空間を作ることが出来、掛け布団自体が持つ重さに伴う圧迫感から解放される。
又、使用したマットは就寝時脱落することは無く、掛け布団の足元への絡み付きも少なくなり、足元の清涼感が得られる。【０００８】  一般家庭或いは病院、特別養護老人ホ−ム等では、ホテルで行なわれているような掛け布団の端を折り込むような事は殆ど行なわず、掛け布団を乗せるだけで行なうことが殆どである。
此の様な場合、使用された本考案に関わるマットが就寝時脱落する恐れがある。此の脱落を出来るかぎり解消する手段としてマットに使用される生地を出来るかぎり滑りの悪い素材とし且つ中に充填する材料を、例えば蕎麦がらのような比較的重量があり、しかも反発性の少ないしっとりとした材料を使用することで解消することが可能となる。【０００９】  本考案に関わるマットに用いられる生地は比較的滑りの悪い綿サテン、天竺木綿或いは綾織り木綿等が適当である。しかし、衛生的な点から脱着可能なカバ−を使用する場合、カバ−の生地を比較的滑りの悪い此等の生地を使用することで、本考案の目的を達することが可能である。
【考案を実施するための最良の形態】
【実施例１】
【００１０】  綾織り木綿地を用い、直径が約２５ｃｍ、長さが約４５ｃｍの円柱状の物を縫製し、其の内部に蕎麦がらを殆ど空間が出来ないように充填し、本考案のマットを製作する。
【実施例２】  一辺が約２５ｃｍ、長さが約４５ｃｍの形状が棒状となる物を、天竺木綿地を使用して作成し、其の内部に直径が６〜７ｍｍ、高さが約５ｍｍ程度に成形された発泡ポリエチレンビ−ズを隙間なく充填し、目的とするマットを製作する。
【図面の簡単な説明】
【００１１】
【図１】実施例１の本考案に関わるマットを図示したものである。
【図２】実施例２の本考案に関わるマットを図示したものである。
【図１】
0003106278.tif 000003
【図２】
0003106278.tif 000004
(57)【要約】      （修正有）【課題】筒状のミラーカバーにヒモ及び吸着盤を一体化した凍結積雪防止カバーを提供する。【解決手段】筒状カバー１にヒモ２を縫い付け、吸着盤３をスライドできるように通し、ヒモの先端を結んで結び目４を作り吸着盤の落下を防ぐ。筒状カバー１、ヒモ２は自然の温度に受動できる天然素材で編成した。編成組織は表面凹凸の形状であるため空気孔が生じ保温性を維持できるので凍結を防ぐのに役立つ。ニット、布等は伸縮性を有し拡大縮少の性質があるのでミラーの形状の色々な大きさに任意に取りつけることができる。筒状カバーにヒモを縫いつけサイドミラーに筒状カバーを取りつけた後車内の吸着可能な場所に取りつけドアを閉めることで紛失や盗難も防ぐことができる。【選択図】図１
0003106277.tif 000002
【実用新案登録請求の範囲】
【請求項１】
車両サイドミラーに、筒状カバー、ヒモ及び吸着盤を一体化した物をサイドミラー全体にかぶせた後車内の吸着可能な場所に取り付けドアを閉める事で紛失や盗難を防ぐことができる特徴を備えたサイドミラー凍結積雪防止カバー
【請求項２】
サイドミラー筒状カバーは伸縮性のあるニット布等で編成表面が凹凸効果で空気孔を備え保温性を保つ組織にした。よって巾は原寸より倍近くの巾に伸びる。又吸着盤もスライドするのでミラーの形状の色々な大きさに任意に取り付けることができるサイドミラー凍結積雪防止カバー
【考案の詳細な説明】
【技術の分野】
【０００１】  この考案は筒状のカバーにヒモ及び吸着盤を一体化した凍結積雪防止カバーに関するものである。［背景技術］
【０００２】  従来自動車全体をおおうビニール製のカバーがある。特開２００１−３２２４９６と実開昭６０−９９１４５又は実開昭６２−１３０９６８及び特開２００３−３４１４２９［考案の開示］［考案が解決しようとする課題］
【０００３】  これは次のような問題点があった。ビニール製のカバーは、おおう作業に手間がかかり過ぎる。脱着する作業に手間がかかり過ぎる問題があった。本考案は以上のような欠点をなくするために考えた。［課題を解決するための手段］
【０００４】  筒状のカバーにヒモ及び吸着盤を一体化した。以上の構成によりなる凍結積雪防止カバーである。［考案の効果］
【０００５】  本考案はこのような構成だから駐車中にサイドミラーにかぶせ保温性を保ち凍結積雪を防ぎ走行中の安全を可能にする。カバーにヒモをつけたためサイドミラーと車内をつなぐことができ紛失や盗難も防ぐことができる。尚吸着盤がスライドすることや筒状のカバーも伸縮性を有するのでサイドミラーの形状の色々な大きさに任意に取り付けることができる。サイドミラーよりの脱着する手間がかからない。走行中はミラーカバーを取り込んで任意の場所に吊り下げ車内暖房により乾燥する。［考案を実施するための最良の形態］
【０００６】  冬期間の降雪及び気温の低下で青空駐車場の自動車は外部が凍結及び積雪する。車内の暖房においてフロント、左側、右側、後部のガラス面は解凍するがサイドミラーに至らない。低価格で防止する方法を実現した。［実施例１］
【０００７】  筒状カバー１、ヒモ２は自然の温度に受動できる天然素材で編成した。編成組織は表面凹凸の形状であるため空気孔が生じ保温性を維持できるので凍結を防ぐのに役立つ
【０００８】  ニット、布等は伸縮性を有し拡大縮少の性質があるのでミラーの形状の色々な大きさに任意に取りつけることができる。
【０００９】  筒状カバーにヒモを縫いつけサイドミラーに筒状カバー５を取りつけた後車内の吸着可能な場所に取りつけドアを閉めることで紛失や盗難も防ぐことができる。
【００１０】  吸着盤３はスライドできるようにヒモに通すため色々な大きさ任意に取りつけることができる。［産業上の利用可能性］
【図面の簡単な説明】
【００１１】
【図１】考案の側面図
【図２】前方右側サイドミラーにサイドミラー凍結積雪防止カバーを装着、又前方左側助手席に取り込んだサイドミラー凍結積雪防止カバーを任意の場所に吊り下げた正面図
【符号の説明】
【００１２】１、筒状カバー    ２、ヒモ    ３、吸着盤    ４、結び目    ５、ミラーに装着    ６、車内に収納
【図１】
0003106277.tif 000003
【図２】
0003106277.tif 000004